(57)【要約】【課題】無線ＬＡＮ通信手段から無線端末への情報提供を促進することができる情報提供システム、情報提供装置および情報提供方法を提供すること。【解決手段】実施形態に係る情報提供システムは、無線ＬＡＮ通信手段と、無線ＬＡＮ通信手段に対応する通知用情報を記憶する通知用情報記憶手段と、無線端末の位置を示す位置情報を取得する端末位置取得手段と、無線ＬＡＮ通信手段の通信エリア内に位置し、かつ無線ＬＡＮ通信手段と通信していない無線端末に対して無線ＷＡＮ基地局から通知用情報を通知する通知手段と、を有することを特徴とする。【選択図】図１Ｂ
2014143562.tif 000002
【特許請求の範囲】
【請求項１】
無線ＬＡＮ通信手段と、
前記無線ＬＡＮ通信手段に対応する通知用情報を記憶する通知用情報記憶手段と、
無線端末の位置を示す位置情報を取得する端末位置取得手段と、
前記無線ＬＡＮ通信手段の通信エリア内に位置し、かつ前記無線ＬＡＮ通信手段と通信していない無線端末に対して無線ＷＡＮ基地局から前記通知用情報を通知する通知手段と、
を有することを特徴とする情報提供システム。
【請求項２】
前記端末位置取得手段によって取得された位置情報に基づき、前記無線端末が前記無線ＬＡＮ通信手段の通信エリア内に位置するか否かを判定する位置判定手段と、
前記位置判定手段によって前記無線ＬＡＮ通信手段の通信エリア内に位置すると判定された無線端末が前記無線ＬＡＮ通信手段と通信しているか否かを判定する通信判定手段と、を有し、
前記通知手段は、
前記通信判定手段によって前記無線ＬＡＮ通信手段と通信していないと判定された無線端末に対して前記通知用情報を通知する
ことを特徴とする請求項１に記載の情報提供システム。
【請求項３】
前記位置判定手段は、
前記無線ＬＡＮ通信手段の通信エリアに対応する位置に所定時間継続して存在する無線端末がある場合に、前記無線端末が前記無線ＬＡＮ通信手段の通信エリア内に位置すると判定する
ことを特徴とする請求項２に記載の情報提供システム。
【請求項４】
前記無線ＬＡＮ通信手段の設置場所に関する情報を記憶する設置場所情報記憶手段と、
前記通知用情報を通知した無線端末が前記無線ＬＡＮ通信手段と通信状態になった場合に、前記設置場所情報記憶手段から前記設置場所に関する情報を取得する設置場所情報取得手段と、
前記設置場所情報取得手段によって取得された前記設置場所に関する情報を、前記通知用情報を通知後に前記無線ＬＡＮ通信手段と通信状態になった前記無線端末に送信する場所情報送信手段と、
を有することを特徴とする請求項１〜３のいずれか１つに記載の情報提供システム。
【請求項５】
無線ＬＡＮ通信手段に対応する通知用情報を記憶する通知用情報記憶手段と、
無線端末の位置を示す位置情報を取得する端末位置取得手段と、
前記無線端末の位置が前記無線ＬＡＮ通信手段の通信エリア内に位置し、かつ前記無線ＬＡＮ通信手段と通信していない無線端末に対して無線ＷＡＮ基地局から前記通知用情報を通知する通知手段と、
を有することを特徴とする情報提供装置。
【請求項６】
無線ＬＡＮ通信手段に対応する通知用情報を記憶するコンピュータが実行する情報提供方法であって、
無線端末の位置を示す位置情報を取得するステップと、
前記無線ＬＡＮ通信手段の通信エリア内に位置し、かつ前記無線ＬＡＮ通信手段と通信していない無線端末に対して無線ＷＡＮ基地局から前記通知用情報を通知するステップと、
を含むことを特徴とする情報提供方法。
【発明の詳細な説明】
【技術分野】
【０００１】
本発明は、情報提供システム、情報提供装置および情報提供方法に関する。
【背景技術】
【０００２】
近年、無線ＬＡＮ（Local Area Network）通信が急速に普及している。駅、空港、店舗等の様々な場所には無線ＬＡＮアクセスポイントが設置され、また、パーソナルコンピュータ、携帯電話機、ポータブルゲーム機等の様々なモバイル機器には無線ＬＡＮ通信機能が標準搭載されるようになってきた。かかる無線ＬＡＮ通信はさらに普及することが予測され、無線端末であるモバイル機器のユーザは、さらに様々な場所で高速なインターネットへ接続環境を利用することが可能となると予測される。
【０００３】
このような通信環境において、例えば、展示エリア毎に無線ＬＡＮ機器が設置され、無線端末からの要求に応じて展示エリアに対応する展示情報を無線ＬＡＮ機器から無線端末へ送信する展示情報配信システムが提案されている（例えば、特許文献１参照）。
【先行技術文献】
【特許文献】
【０００４】
【特許文献１】特開２０１２−３９５９８号公報
【発明の概要】
【発明が解決しようとする課題】
【０００５】
しかしながら、特許文献１に記載の技術では、無線ＬＡＮ機器が無線端末との間で無線ＬＡＮ通信を行っていることが前提であり、無線端末において無線ＬＡＮ機能がＯＦＦ状態である場合には、無線ＬＡＮ機器から無線端末への情報提供を行うことができない。
【０００６】
本願は、上記に鑑みてなされたものであって、無線ＬＡＮ通信手段から無線端末への情報提供を促進することができる情報提供システム、情報提供装置および情報提供方法を提供することを目的とする。
【課題を解決するための手段】
【０００７】
本願に係る情報提供システムは、無線ＬＡＮ通信手段と、前記無線ＬＡＮ通信手段に対応する通知用情報を記憶する通知用情報記憶手段と、無線端末の位置を示す位置情報を取得する端末位置取得手段と、前記無線ＬＡＮ通信手段の通信エリア内に位置し、かつ前記無線ＬＡＮ通信手段と通信していない無線端末に対して無線ＷＡＮ基地局から前記通知用情報を通知する通知手段と、を有することを特徴とする。
【発明の効果】
【０００８】
本願に係る情報提供システム、情報提供装置および情報提供方法は、無線ＬＡＮ通信手段から無線端末への情報提供を促進することができるという効果を奏する。
【図面の簡単な説明】
【０００９】
【図１Ａ】図１Ａは、実施形態に係る情報提供システムの構成を示す図である。
【図１Ｂ】図１Ｂは、図１Ａに示す情報提供システムが行う情報提供処理の説明図である。
【図２】図２は、第１の実施形態に係る情報提供システムの具体的構成例を示す図である。
【図３Ａ】図３Ａは、無線ＬＡＮアクセスポイントと無線端末との間のセッション確立のシーケンスを示す図（その１）である。
【図３Ｂ】図３Ｂは、無線ＬＡＮアクセスポイントと無線端末との間のセッション確立のシーケンスを示す図（その２）である。
【図４】図４は、場所情報ＤＢに記憶されるＡＰ端末情報テーブルの一例を示す図である。
【図５】図５は、場所情報ＤＢに記憶される端末位置情報テーブルの一例を示す図である。
【図６】図６は、場所情報ＤＢに記憶されるＡＰ場所情報テーブルの一例を示す図である。
【図７】図７は、ユーザ情報ＤＢに記憶されるユーザ情報テーブルの一例である。
【図８】図８は、情報提供装置から提供される情報を無線端末の表示部で表示した画面例を示す図である。
【図９】図９は、無線ＬＡＮアクセスポイントにおける情報処理のフローチャートである。
【図１０】図１０は、情報提供装置における情報処理のフローチャートである。
【図１１】図１１は、図１０に示す第１の通知処理のフローチャートである。
【図１２】図１２は、図１０に示す第２の通知処理のフローチャートである。
【発明を実施するための形態】
【００１０】
以下に、本願に係る情報提供システム、情報提供装置および情報提供方法の実施形態について図面を参照しつつ詳細に説明する。なお、この実施形態により本願に係る情報提供システム、情報提供装置および情報提供方法が限定されるものではない。
【００１１】
〔１．情報提供システム〕
まず、実施形態に係る情報提供システムの構成について説明する。図１Ａは、実施形態に係る情報提供システムの構成を示す図である。
【００１２】
図１Ａに示すように、実施形態に係る情報提供システムは、無線ＬＡＮ（Local  Area  Network）アクセスポイントと、情報提供装置とを備える。情報提供装置は、通信ネットワークを介して無線ＬＡＮアクセスポイントと通信可能であり、さらに、無線ＬＡＮアクセスポイントや携帯電話通信網を介して携帯電話機である無線端末と通信可能である。通信ネットワークは、例えば、インターネットなどのＩＰ（Internet  Protocol）ネットワークである。
【００１３】
ＷＡＮ（Wide  Area  Network）である携帯電話通信網は、図示しないゲートウェイサーバを介して通信ネットワークに接続される。無線端末は、携帯電話通信網の携帯電話基地局（無線ＷＡＮ基地局の一例に相当）を経由して通信ネットワークに接続されたサーバ（例えば、ウェブサイト）へのアクセスが可能である。また、無線端末は、無線ＬＡＮ通信機能を搭載した携帯電話機であり、無線ＬＡＮアクセスポイントの通信エリア内では、無線ＬＡＮアクセスポイント経由でもサーバへのアクセスが可能である。
【００１４】
また、無線端末は、ＧＰＳ（Global  Positioning  System）ユニットを有しており、かかるＧＰＳユニットによってＧＰＳ衛星から信号を受信する毎に、受信した信号に基づいて現在位置を算出する。現在位置は、例えば、緯度・経度で示される位置である。
【００１５】
無線ＬＡＮアクセスポイントは、無線ＬＡＮ通信部を備えており、かかる無線ＬＡＮ通信部によって、無線端末と相互に無線通信可能である。無線ＬＡＮアクセスポイントは、例えば、小売店、飲食店、美容院・理容院、病院、ホテル、映画館、複合レジャー施設などの他、駅、商店街、コンサートやスポーツなどが行われるイベント会場などの商業空間を通信エリアとする。
【００１６】
情報提供装置は、通知用情報を記憶するデータベース（以下、ＤＢと記載する）を備えており、かかるＤＢに記憶された通知用情報のうち、無線端末が存在する無線ＬＡＮアクセスポイントに対応する通知用情報を選択してＤＢから取得して、無線端末へ送信する。通知用情報の送信対象となる無線端末は、無線ＬＡＮ通信機能をＯＦＦにしている無線端末であり、通知用情報は、携帯電話基地局経由で無線端末に通知される。
【００１７】
通知用情報は、無線端末のユーザに無線端末の無線ＬＡＮ通信機能をＯＮにするように促す情報であり、例えば、無線端末において無線ＬＡＮ通信機能をＯＮにすれば無線ＬＡＮアクセスポイントから詳細情報が無線端末へ通知される旨を知らせる情報である。これにより、無線端末のユーザに対して無線端末の無線ＬＡＮ通信機能をＯＮにさせる動機付けを与えることができる。
【００１８】
なお、通知用情報は、例えば、無線ＬＡＮアクセスポイントの設置場所に対応する情報であり、例えば、無線ＬＡＮアクセスポイントの設置場所が飲食店である場合、無線端末のユーザは、無線端末の無線ＬＡＮ通信機能をＯＮにすることで飲食店に関する情報を取得することができる。
【００１９】
〔２．情報提供方法〕
次に、情報提供システムによる情報提供方法の一例について説明する。図１Ｂは、実施形態に係る情報提供方法の説明図である。
【００２０】
図１Ｂに示すように、無線端末の制御部は、ＧＰＳユニットにより取得した現在位置を含む情報（以下、端末位置情報と記載する）を携帯電話基地局に対して所定周期で送信する（ステップＳ１）。携帯電話基地局は、無線端末からの端末位置情報を情報提供装置へ転送する（ステップＳ２）。
【００２１】
情報提供装置は、携帯電話基地局経由で無線端末から送信される端末位置情報をデータベース（以下、ＤＢと記載する）に記憶する。これにより、情報提供装置には、端末位置情報がＤＢに所定周期で記憶される。
【００２２】
情報提供装置は、ＤＢに記憶した端末位置情報に基づき、無線ＬＡＮアクセスポイントの通信エリア内に位置する無線端末が存在するか否かを判定する（ステップＳ３）。情報提供装置は、無線ＬＡＮアクセスポイントの通信エリア内に無線端末が存在すると判定すると、かかる無線端末が無線ＬＡＮアクセスポイントと通信しているか否かを判定する（ステップＳ４）。
【００２３】
そして、情報提供装置は、無線ＬＡＮアクセスポイントの通信エリア内に存在する無線端末が無線ＬＡＮアクセスポイントと通信していないと判定すると、かかる無線端末を宛先として通知用情報を携帯電話基地局へ送信する（ステップＳ５）。携帯電話基地局は、情報提供装置から無線端末宛の通知用情報を受信すると、かかる通知用情報を無線端末へ転送する（ステップＳ６）。
【００２４】
通知用情報を受信した無線端末の制御部は、通知用情報を無線端末の表示部に表示する（ステップＳ７）。その後、無線端末のユーザが、無線端末の操作部を操作することによって、無線端末の無線ＬＡＮ通信機能をＯＮにすると（ステップＳ８）、無線端末の無線ＬＡＮ通信部から無線ＬＡＮアクセスポイントに対して無線信号が送信される（ステップＳ９）。
【００２５】
無線ＬＡＮアクセスポイントは、無線端末から送信される無線信号を受信すると、無線端末と無線信号の送受信を行って無線端末との間のセッションを確立し、無線端末と通信状態になる。これにより、無線端末が無線ＬＡＮアクセスポイント経由で情報提供装置と通信可能な状態になる。無線ＬＡＮアクセスポイントは、無線端末が情報提供装置と通信可能な状態になると、かかる無線端末の情報を含む接続通知を情報提供装置に対して送信する（ステップＳ１０）。
【００２６】
情報提供装置は、無線ＬＡＮアクセスポイントから接続通知を受け付けると、かかる無線ＬＡＮアクセスポイントの設置場所に関する情報（以下、場所情報と記載する場合がある）をＤＢから読み出す（ステップＳ１１）。そして、情報提供装置は、ＤＢから読み出した場所情報を、無線端末宛の情報として無線ＬＡＮアクセスポイントへ送信する（ステップＳ１２）。無線ＬＡＮアクセスポイントは、受信した場所情報を無線端末へ転送する（ステップＳ１３）。無線端末の制御部は、場所情報を無線端末の表示部に表示する（ステップＳ１４）。
【００２７】
このように、実施形態に係る情報提供システムによる情報提供方法では、無線端末において無線ＬＡＮ機能がＯＦＦ状態である場合であっても、通知用情報を無線端末へ通知することができる。これにより、無線端末のユーザに対して無線端末の無線ＬＡＮ通信機能をＯＮにさせる動機付けを与え、無線ＬＡＮアクセスポイントから無線端末への情報提供を促進することができる。
【００２８】
〔３．情報提供システムの具体的構成〕
図２を用いて、実施形態に係る情報提供システムの具体的構成例について説明する。図２は、実施形態に係る情報提供システムの具体的構成例を示す図である。
【００２９】
図２に例示するように、情報提供システム１は、複数の無線ＬＡＮアクセスポイント２1〜２nと、情報提供装置３とを備え、無線端末４1〜４nに対して各種の情報を提供する。無線端末４1〜４nは、スマートフォンなどのように、無線ＬＡＮ通信機能を備えた携帯電話機であり、各ユーザに所有される。なお、無線端末４1〜４nを区別する必要がない場合には、これらを総称して「無線端末４」と表記する。
【００３０】
無線ＬＡＮアクセスポイント２1〜２nおよび情報提供装置３は、例えば、情報提供サービス業者によって管理される。なお、無線ＬＡＮアクセスポイント２1〜２nを区別する必要がない場合には、これらを総称して「無線ＬＡＮアクセスポイント２」と表記する。
【００３１】
無線ＬＡＮアクセスポイント２は、通信ネットワーク５を介して情報提供装置３に接続されており、情報提供装置３は、通信ネットワーク５を介して無線ＬＡＮアクセスポイント２から無線端末４へ各種の情報を提供することができる。本実施形態では、通信ネットワーク５をインターネットとして説明するが、通信ネットワーク５はインターネットに限定されるものではなく、例えば、情報提供サービス業者専用に設けられるネットワークであってもよい。
【００３２】
また、携帯電話通信網６は、ゲートウェイサーバ８、９を介して通信ネットワーク５に接続されており、情報提供装置３は、通信ネットワーク５を介して携帯電話通信網６に接続された携帯電話基地局７１〜７ｎから無線端末４に情報を送信させることもできる。なお、携帯電話基地局７１〜７ｎを区別する必要がない場合には、これらを総称して「携帯電話基地局７」と表記する。
【００３３】
ここでは、無線ＷＡＮ基地局が接続される通信網として携帯電話通信網６を一例に挙げて説明したが、無線ＷＡＮ基地局が接続される通信網は携帯電話通信網６に限られない。例えば、無線ＷＡＮ基地局が接続される通信網はデータ通信専用網であってもよい。この場合、無線ＷＡＮ基地局はデータ通信専用網の無線基地局であり、かかる無線基地局から無線端末４に情報が送信される。
【００３４】
無線端末４は、ＧＰＳユニットを有しており、かかるＧＰＳユニットによってＧＰＳ衛星から信号を受信する毎に、受信した信号に基づいて現在位置を算出し、携帯電話基地局経由で情報提供装置３に対して所定周期で現在位置の情報を含む端末位置情報を送信する。
【００３５】
また、無線端末４は、通知用情報を表示部に表示する機能を有しており、通信ネットワーク５を介して情報提供システム１から提供される通知用情報を取得して表示する。なお、通知用情報を表示する機能は、例えば、無線端末４のＯＳ（Operating  System）やアプリケーションが有する機能である。
【００３６】
さらに、無線端末４は、ブラウザを搭載しており、情報提供システム１や図示しないサイトから提供されるページの情報を表示する。例えば、通信ネットワーク５がインターネットである場合、情報提供システム１から提供されるページは、ＨＴＭＬ（HyperText  Markup  Language）などのマークアップ言語で規定されるウェブページである。
【００３７】
以下、無線ＬＡＮアクセスポイント２、情報提供装置３の順にそれぞれの具体的構成を説明する。
【００３８】
〔４．無線ＬＡＮアクセスポイント２の構成〕
まず、無線ＬＡＮアクセスポイント２の構成について具体的に説明する。図２に示すように、無線ＬＡＮアクセスポイント２は、無線ＬＡＮ通信部２０と、通信部２１と、制御部２２とを有する。
【００３９】
無線ＬＡＮ通信部２０は、無線ＬＡＮアクセスポイント２の設置対象となる場所を含む領域がその通信エリアとなるように設置される。かかる無線ＬＡＮ通信部２０は、無線ＬＡＮ通信を行う通信インタフェースであり、無線ＬＡＮ通信機能を搭載した無線端末４との間で無線信号により情報の送受信を行う。なお、無線ＬＡＮとして、例えば、ＩＥＥＥ８０２．１１によって規定される無線ＬＡＮなどがあるが、かかる規格の無線ＬＡＮに限定されるものではない。
【００４０】
通信部２１は、通信ネットワーク５に接続され、通信ネットワーク５を介して通信ネットワーク側装置との間で情報の送受信を行う。かかる通信部２１は、通信ネットワーク５との接続を有線または無線で行う。通信ネットワーク側装置は、例えば、情報提供装置３やウェブサーバ（図示せず）である。
【００４１】
制御部２２は、情報中継処理を行う中継部２５と、無線端末４の検出処理を行う検出部２６とを備えており、以下に説明する情報処理の機能や作用を実現または実行する。なお、制御部２２の内部構成は、かかる構成に限られず、後述する情報処理を行う構成であれば他の構成であってもよい。
【００４２】
中継部２５は、例えば、無線端末４から無線ＬＡＮ通信部２０を介して取得した情報を通信部２１から通信ネットワーク側装置へ送信し、また、通信ネットワーク側装置から通信部２１を介して取得した情報を無線ＬＡＮ通信部２０から無線端末４へ送信する。
【００４３】
検出部２６は、無線端末４から送信される無線パケットを無線ＬＡＮ通信部２０を介して取得することで、無線端末４の存在を検出する。図３Ａおよび図３Ｂは、無線ＬＡＮアクセスポイント２と無線端末４との間のセッション確立のシーケンスを示す図である。
【００４４】
図３Ａに示す例では、無線端末４から周期的にプローブ要求と呼ばれる無線パケットがブロードキャストなどによって送信されており、検出部２６は、かかる無線パケットを無線ＬＡＮ通信部２０経由で取得することで、無線端末４の存在を検出する。
【００４５】
プローブ要求にはＢＳＳＩＤ（Basic  Service  Set  Identifier）が含まれており、検出部２６は、無線ＬＡＮ通信部２０のＢＳＳＩＤと一致する場合に、プローブ応答を無線端末４へ送信する。プローブ応答を受信した無線端末４は、自動通信の設定がされている場合、通信中状態へ移行する。
【００４６】
通信中状態への移行は、図３Ａに示すように、アソシエーション要求とアソシエーション応答によりセッションを確立することによって行われ、その後、無線端末４と無線ＬＡＮ通信部２０との間で、データフレームやコントロールフレームの送受信が行われて通信中状態になる。
【００４７】
また、検出部２６は、周期的に無線パケットが送信されない無線端末４に対して、例えば、図３Ｂに示すように、ビーコンと呼ばれる無線パケットを無線ＬＡＮ通信部２０を介してブロードキャストし、かかるビーコンに対するアソシエーション要求を受信することで、無線端末４の存在を検出する。アソシエーション要求を受信した検出部２６は、アソシエーション応答を無線端末４へ送信することによってセッションを確立し、無線端末４と無線ＬＡＮ通信部２０との間を通信中状態にする。
【００４８】
検出部２６は、通信中状態へ移行すると、その後、通信中状態が解除されるまで繰り返し無線パケットを受信しており、無線端末４の存在を検出している状態である。なお、無線端末４から切断要求があった場合や、無線端末４と無線ＬＡＮ通信部２０との間で無線パケットを送受信できなくなった場合に、通信中状態が解除される。
【００４９】
検出部２６は、例えば無線端末４を検出したと判定すると、無線端末４の端末情報を含む検出情報を通信部２１から情報提供装置３へ送信する。具体的には、検出部２６は、無線端末４から送信される無線パケットに含まれる端末ＩＤを抽出し、さらに電波強度を検出する。
【００５０】
端末ＩＤは、例えば、無線端末４の無線ＬＡＮ通信部のＭＡＣアドレスであり、無線パケットに付加されて無線端末４から送信される。電波強度は、無線ＬＡＮアクセスポイント２で受信される無線信号の電波強度である。なお、電波強度は、無線端末４において取得された電波受信強度（ＲＳＳＩ：Received  Signal  Strength  Indication）であってもよい。この場合、電波強度の情報を含む無線信号が無線端末４から無線ＬＡＮアクセスポイント２へ送信される。
【００５１】
検出部２６は、無線端末４の端末ＩＤおよび電波強度の情報に加え、ＡＰ−ＩＤおよび通信中状態であるか否かの情報を検出情報として、情報提供装置３へ送信する。ＡＰ−ＩＤとしては、例えば、通信部２１に割り当てられる通信ネットワーク５のネットワークアドレス（例えば、ＩＰアドレス）を用いることができる。
【００５２】
〔５．情報提供装置３の構成〕
次に、実施形態に係る情報提供装置３の具体的構成について説明する。図２に示すように、情報提供装置３は、通信部３０と、記憶部３１と、制御部３２とを有する。さらに、記憶部３１は、ユーザ情報ＤＢ３３と、場所情報ＤＢ３４とを有し、制御部３２は、受付部３５と、取得部３６と、判定部３７と、送信部３８とを有する。
【００５３】
通信部３０は、ＮＩＣ（Network  Interface  Card）等のインタフェースである。制御部３２は、通信部３０および通信ネットワーク５を介して、無線ＬＡＮアクセスポイント２や、無線ＬＡＮアクセスポイント２を介した無線端末４との間で各種の情報を送受信する。
【００５４】
ユーザ情報ＤＢ３３および場所情報ＤＢ３４は、例えば、ハードディスク、ＲＡＭ（Random  Access  Memory)、フラッシュメモリ等の半導体メモリ素子、光ディスク等の記憶装置である。なお、ユーザ情報ＤＢ３３および場所情報ＤＢ３４を一つのＤＢとしてもよい。なお、ユーザ情報ＤＢ３３および場所情報ＤＢ３４に記憶される各種のＩＤは、「Ａ１」や「Ｕ１」などの符号を用いて説明するが、説明の便宜上区別するために付した符号であり、かかる符号に限定される趣旨ではない。
【００５５】
制御部３２は、例えば、ＡＳＩＣ（Application  Specific  Integrated  Circuit）やＦＰＧＡ（Field  Programmable  Gate  Array）等の集積回路により実現される。また、制御部３２は、ＣＰＵ（Central  Processing  Unit）またはＭＰＵ（Micro  Processing  Unit）によって内部の記憶装置に記憶されたプログラムがＲＡＭを作業領域として実行されることで、受付部３５、取得部３６、判定部３７および送信部３８として機能する。なお、制御部３２の構成は、かかる構成に限られず、後述する情報処理を行う構成であれば他の構成であってもよい。
【００５６】
〔５．１．受付部３５〕
受付部３５は、無線ＬＡＮアクセスポイント２から送信される検出情報や無線端末４から無線ＬＡＮアクセスポイント２を介して送信される各種の要求を受け付ける。
【００５７】
受付部３５は、無線ＬＡＮアクセスポイント２から送信される検出情報を受け付けると、検出情報に含まれる端末情報、ＡＰ−ＩＤおよび通信中状態であるか否かの情報に基づき、場所情報ＤＢ３４のＡＰ端末情報テーブルを更新する。
【００５８】
図４は、場所情報ＤＢ３４に記憶されるＡＰ端末情報テーブルの一例を示す図である。図４に示すように、ＡＰ端末情報テーブルは、「ＡＰ−ＩＤ」毎に、「端末ＩＤ」、「チェックイン時間」、「チェックアウト時間」および「電波強度」が関連付けられた情報である。
【００５９】
「ＡＰ−ＩＤ」は、無線ＬＡＮアクセスポイント２の識別情報であり、無線ＬＡＮアクセスポイント２毎に割り当てられる情報である。
【００６０】
「端末ＩＤ」は、関連付けられた無線ＬＡＮアクセスポイント２の通信エリア（以下、ＡＰ通信エリアと記載する場合がある）内に存在する無線端末４の端末ＩＤである。例えば、図４に示す例では、ＡＰ−ＩＤ「Ａ１」の無線ＬＡＮアクセスポイント２の通信エリア内に、端末ＩＤ「Ｔ２」、「Ｔ３」の無線端末４などが存在していることを示している。
【００６１】
「電波強度」は、ＡＰ通信エリア内に存在する無線端末４の電波強度の情報である。図４に示す例では、便宜上、各端末ＩＤに対応して最新の電波強度の情報が示されているが、無線端末４がＡＰ通信エリアへ進入したときからの電波強度の情報やその平均値が端末存在データに設定される。また、図４に示す例では、電波強度を０〜１０の範囲で強度が高いほど値が大きくなる強度レベルで表しているが、その他の単位（例えば、ｄＢｍ）で設定することもできる。
【００６２】
受付部３５は、無線ＬＡＮアクセスポイント２から通信中状態である情報を含む検出情報を受信した場合、検出情報に含まれる「ＡＰ−ＩＤ」に対応付けて、検出情報に含まれる端末ＩＤおよび電波強度の情報を端末存在データに設定する。また、受付部３５は、無線端末４が通信中状態となった時刻を「チェックイン時刻」として端末存在データに設定する。
【００６３】
チェックイン時刻と現時刻とを比較することによってＡＰ通信エリア内での無線端末４の滞在時間を検出することができる。なお、受付部３５は、通信中状態であるか否かとは無関係に検出情報の受信を開始した時刻を「進入時刻」として端末存在データに設定することでもきる。
【００６４】
端末存在データに情報が設定された無線端末４がその後ＡＰ通信エリアから退出した場合、受付部３５は、無線端末４の退出時刻を「チェックアウト時刻」として端末存在データに設定した後、退出した無線端末４の情報をＡＰ端末情報テーブルから削除して履歴情報として管理する。
【００６５】
〔５．２．取得部３６〕
取得部３６は、携帯電話基地局７を介して無線端末４から端末位置情報を取得し、かかる端末位置情報から無線端末４の現在位置を特定する。取得部３６は、特定した無線端末４の現在位置の情報を端末位置情報テーブルに設定する。
【００６６】
図５は、場所情報ＤＢ３４に記憶される端末位置情報テーブルの一例を示す図である。図５に示すように、端末位置情報テーブルは、「端末ＩＤ」毎に、各時刻の「位置データ」が関連付けられた情報である。
【００６７】
「端末ＩＤ」は、無線端末４に固有の情報であり、例えば、無線端末４の無線ＬＡＮ通信部のＭＡＣアドレスである。かかる端末ＩＤは、端末位置情報に付加されて無線端末４から送信される。なお、端末ＩＤは、無線端末４に固有の情報または無線端末４のユーザに固有の情報であればよく、例えば、ユーザが設定したＩＤであってもよい。
【００６８】
「位置データ」は、無線端末４の位置を示す情報であり、緯度および経度の情報が含まれる。かかる位置データは、端末位置情報に含まれる現在位置の情報であり、無線端末４から所定周期で送信され、取得部３６により端末位置情報テーブルへ都度設定される。例えば、図５に示す例では、端末ＩＤ「Ｔ１」、「Ｔ２」の位置データとして、「２０１３年２月１１日１２時２８分５０秒」の位置データ、「２０１３年２月１１日１２時２８分５５秒」の位置データなどのように５秒毎の位置データが設定される。
【００６９】
なお、取得部３６は、無線端末４の位置データを携帯電話通信網６の通信センタ（図示せず）から取得することもできる。携帯電話通信網６の通信センタは、例えば、３つの携帯電話基地局７で受信する無線端末４の電波強度に基づいた３点計測法によって無線端末４の位置を検出し、かかる検出結果を端末位置情報として無線端末４へ送信する。
【００７０】
この場合、無線端末４の取得部３６は、携帯電話通信網６の通信センタから送信される端末位置情報を端末位置情報テーブルへ設定することができる。これにより、ＧＰＳユニットを有していない無線端末４の位置情報を取得することができる。
【００７１】
また、取得部３６は、無線ＬＡＮアクセスポイント２から送信される検出情報に基づいて無線端末４の位置情報を取得することもできる。例えば、図４に示す端末ＩＤ「Ｔ２」の無線端末４は、ＡＰ−ＩＤ「Ａ１」に対応するＡＰ通信エリアにあり、取得部３６は、ＡＰ−ＩＤ「Ａ１」に対応するＡＰ通信エリアの位置情報を端末位置情報テーブルへ設定することができる。
【００７２】
また、取得部３６は、ＡＰ通信エリア内に設置された種々の装置から無線端末４の情報を取得することもできる。ＡＰ通信エリア内に設置される装置は、例えば、無線端末４と通信を行う近距離通信装置であり、店舗に設置されたＦｅｌｉｃａ読み取り機や駅の自動改札などがある。
【００７３】
近距離通信装置は、無線端末４の識別情報を取得し、自装置の識別情報と共に無線端末４の識別情報（例えば、端末ＩＤ）を情報提供装置３へ送信する。この場合、情報提供装置３は、例えば、ＡＰ場所情報テーブルにおいてＡＰ−ＩＤに近距離通信装置の識別情報を予め関連付けて記憶部３１に記憶しておく。取得部３６は、ＡＰ場所情報テーブルに基づき、近距離通信装置の識別情報から無線端末４のＡＰ通信エリアを判定し、これにより、ＡＰ通信エリアの位置を無線端末４の位置情報として取得する。
【００７４】
なお、近距離通信装置は、例えば、Ｆｅｌｉｃａ、ＩＳＯ／ＩＥＣ１４４４３（ＭＩＤＡＲＥ）、Ｂｌｕｅｔｏｏｔｈ（登録商標）などの通信方式を採用した装置である。近距離通信装置による通信は、電波に限定されるものではなく、例えば、赤外線通信、可視光通信、音波などを用いることもできる。
【００７５】
また、ＡＰ通信エリア内に設置される装置は、例えば、無線端末４に位置情報を送信する位置情報提供装置がある。かかる位置情報提供装置は、自装置が設置されている位置の情を無線で提供する近距離通信装置であってもよく、また、位置情報が含まれるバーコードなどを提供する媒体であってもよい。無線端末４は、無線通信やカメラなどにより位置情報提供装置から位置情報を取得し、取得した位置情報を端末位置情報として携帯電話基地局７経由で情報提供装置３へ送信する。このようにすることで、ＧＰＳユニットを有していない無線端末４であっても端末位置情報を情報提供装置３へ送信することができる。
【００７６】
なお、各ＡＰ通信エリアの位置情報は、後述するＡＰ場所情報テーブルに設定され、取得部３６は、ＡＰ場所情報テーブルからＡＰ通信エリアの位置情報を取得することができる。また、無線ＬＡＮアクセスポイント２から送信される検出情報にＡＰ通信エリアの位置情報を含めるようにしてもよい。この場合、取得部３６は、無線ＬＡＮアクセスポイント２から送信される検出情報からＡＰ通信エリアの位置情報を取得することができる。
【００７７】
〔５．３．判定部３７〕
判定部３７は、取得部３６によって取得された端末位置情報に基づき、無線端末４がＡＰ通信エリア内に位置するか否かを判定する。具体的には、判定部３７は、端末位置情報テーブルに位置データが設定された無線端末４が、ＡＰ場所情報テーブルに設定されたＡＰ通信エリアの緯度・経度内に位置するか否かを判定する。
【００７８】
図６は、場所情報ＤＢ３４に記憶されるＡＰ場所情報テーブルの一例を示す図である。図６に示すように、ＡＰ場所情報テーブルは、「ＡＰ−ＩＤ」毎に、「場所名」、「ＬＡＮ通知用情報」、「ＷＡＮ通知用情報」、「場所情報」および「ＡＰ通信エリア」が関連付けられた情報である。
【００７９】
「ＡＰ−ＩＤ」は、無線ＬＡＮアクセスポイント２の識別情報であり、無線ＬＡＮアクセスポイント２毎に割り当てられる情報であり、上述したように、例えば、ＩＰアドレスである。「場所名」は、無線ＬＡＮアクセスポイント２の設置場所の名称であり、例えばＡＰ−ＩＤ「Ａ１」の無線ＬＡＮアクセスポイント２の設置場所は、「Ａ店舗」である。
【００８０】
「ＬＡＮ通知用情報」は、無線ＬＡＮアクセスポイント２経由で無線端末４へ通知する通知用情報のファイル名を示す情報であり、場所情報ＤＢ３４に記憶される。また、「ＷＡＮ通知用情報」は携帯電話基地局７経由で無線端末４へ通知する通知用情報のファイル名を示す情報であり、場所情報ＤＢ３４に記憶される。
【００８１】
図６に示すＡＰ場所情報テーブルでは、例えば、ＡＰ−ＩＤ「Ａ１」の「ＬＡＮ通知用情報」は、ファイル名「noticeA11.data」であり、「ＷＡＮ通知用情報」は、ファイル名「noticeA21.data」である。
【００８２】
「場所情報」は、無線ＬＡＮアクセスポイント２の設置場所に関する情報であり、例えば、店舗ポータルサイトの情報などが設定される。「ＡＰ通信エリア」は、無線ＬＡＮアクセスポイント２の通信エリアの緯度・経度を示す情報である。例えば、図６に示すＡＰ場所情報テーブルでは、ＡＰ−ＩＤ「Ａ１」の無線ＬＡＮアクセスポイント２は、緯度がＸ１〜Ｘ２で経度がＹ１〜Ｙ２の範囲がＡＰ通信エリアであることを示す。
【００８３】
例えば、端末位置情報テーブルおよびＡＰ場所情報テーブルが図５および図６に示す状態であるとする。この場合、Ｘａ１がＸ１〜Ｘ２の範囲内でないか、または、Ｙａ１がＹ１〜Ｙ２の範囲内でなければ、判定部３７は、端末ＩＤ「Ｔ１」の無線端末４がＡＰ−ＩＤ「Ａ１」の無線ＬＡＮアクセスポイント２の通信エリア内に存在しないと判定する。
【００８４】
一方、Ｘａ１がＸ１〜Ｘ２の範囲内にあり、かつＹａ１がＹ１〜Ｙ２の範囲内にあれば、判定部３７は、端末ＩＤ「Ｔ１」の無線端末４がＡＰ−ＩＤ「Ａ１」の無線ＬＡＮアクセスポイント２の通信エリア内に存在すると判定する。判定部３７は、端末位置情報テーブルに設定された無線端末４がＡＰ場所情報テーブルに設定されたＡＰ通信エリア内にあると判定すると、かかる無線端末４が無線ＬＡＮアクセスポイント２と通信しているかをＡＰ端末情報テーブルに基づき判定する。
【００８５】
例えば、ＡＰ端末情報テーブルが図４に示す状態であり、端末ＩＤ「Ｔ１」の無線端末４がＡＰ−ＩＤ「Ａ１」に対応するＡＰ通信エリア内に存在するとする。この場合、ＡＰ端末情報テーブルには、端末ＩＤ「Ｔ１」の無線端末４の情報がＡＰ−ＩＤ「Ａ１」に対応して設定されていないことから、判定部３７は、端末ＩＤ「Ｔ１」の無線端末４がＡＰ−ＩＤ「Ａ１」の無線ＬＡＮアクセスポイント２と通信していないと判定する。
【００８６】
〔５．４．送信部３８〕
送信部３８は、判定部３７による判定結果に基づき、ＡＰ通信エリア内に位置し、かつ無線ＬＡＮアクセスポイント２と通信していないと判定された無線端末４（以下、ＡＰ内未通信端末と記載する場合がある）へＷＡＮ通知用情報を送信する。
【００８７】
例えば、端末ＩＤ「Ｔ１」の無線端末４がＡＰ−ＩＤ「Ａ１」に対応するＡＰ通信エリア内に位置し、ＡＰ−ＩＤ「Ａ１」の無線ＬＡＮアクセスポイント２と通信していないとする。この場合、送信部３８は、ＡＰ−ＩＤ「Ａ１」に対応するＷＡＮ通知用情報をＡＰ場所情報テーブルから取得し、端末ＩＤ「Ｔ１」の無線端末４宛へ携帯電話基地局７経由で送信する。
【００８８】
携帯電話通信網６における無線端末４の宛先であるＷＡＮ−ＩＤは、ユーザ情報テーブルに設定されており、送信部３８は、ユーザ情報テーブルからＷＡＮ通知用情報の送信対象である無線端末４のＷＡＮ−ＩＤを取得する。
【００８９】
図７は、ユーザ情報ＤＢ３３に記憶されるユーザ情報テーブルの一例である。図７に示すように、ユーザ情報テーブルには、「ユーザＩＤ」毎に、「端末ＩＤ」、「ＷＡＮ−ＩＤ」、「ユーザ属性」および「通知フラグ」などの各情報を対応付けた情報が含まれる。「端末ＩＤ」、「ＷＡＮ−ＩＤ」、「ユーザ属性」および「通知フラグ」は、例えば、無線端末４から情報提供装置３への登録要求等に含まれる情報であり、無線端末４が情報提供装置３に対して、ユーザ登録や登録変更を行った場合に、受付部３５によってユーザ情報テーブルに設定される。
【００９０】
ユーザ登録は、例えば、無線端末４から情報提供装置３に対して携帯電話通信網６経由で行うことができる。この場合、情報提供装置３の受付部３５は、無線端末４から送信されるユーザ登録の要求に対してユーザＩＤを割り当て、ユーザ登録の要求に含まれる端末ＩＤ、ＷＡＮ−ＩＤおよびユーザ属性などの情報をユーザ情報テーブルに設定する。
【００９１】
「ユーザＩＤ」は、無線端末４のユーザ毎に割り当てられたＩＤであり、例えば、無線端末４から情報提供装置３に対してユーザ登録を行った場合に、受付部３５によってユーザ情報テーブルに設定される。
【００９２】
「端末ＩＤ」は、端末位置情報テーブルに設定される「端末ＩＤ」と同様の情報である。なお、端末ＩＤは、無線端末４を識別できるものであればよく、必ずしもＭＡＣアドレスに限られるものではない。
【００９３】
「ＷＡＮ−ＩＤ」は、無線端末４の携帯電話通信部側の識別情報である。例えば、無線端末４が第３世代移動通信システムである場合、ＷＡＮ−ＩＤは、無線端末４に搭載されたＳＩＭカード（Subscriber Identity Module Card）の固有番号である。かかる固有番号は、ＩＭＳＩ(International Mobile Subscriber Identity)とも呼ばれる。無線端末４は、ＷＡＮ−ＩＤを含む無線パケットを送受信することで携帯電話基地局７との間で通信を行う。
【００９４】
ユーザ属性は、無線端末４のユーザのユーザ属性情報である。かかるユーザ属性には、デモグラフィック属性およびサイコグラフィック属性が含まれる。デモグラフィック属性は、例えば、ユーザの性別、年齢などの属性である。サイコグラフィック属性は、例えば、パソコン、ケーキなどのユーザの嗜好を示す属性が設定され、ユーザの興味がある属性に「１」が設定され、それ以外は「０」に設定される。
【００９５】
ユーザ属性は、例えば、無線端末４から情報提供装置３に対してユーザ登録や登録変更を行った場合に、受付部３５によってユーザ情報テーブルに設定される。なお、図７に示すユーザ属性は一例であり、ユーザ情報テーブルには種々の属性を設定することができる。
【００９６】
「通知フラグ」は、ＷＡＮ通知用情報を通知するか否かのフラグであり、かかる通知フラグが「１」である無線端末４がＷＡＮ通知用情報の通知対象であり、通知フラグが「０」である無線端末４はＷＡＮ通知用情報の通知対象外である。例えば、図７に示す端末ＩＤ「Ｔ２」の無線端末４がＡＰ−ＩＤ「Ａ１」に対応するＡＰ通信エリア内に位置し、ＡＰ−ＩＤ「Ａ１」の無線ＬＡＮアクセスポイント２と通信していない場合であっても、送信部３８は、端末ＩＤ「Ｔ２」の無線端末４へはＷＡＮ通知用情報を送信しない。
【００９７】
なお、図７に示すユーザ情報テーブルの例では、「通知フラグ」を設定したが、例えば、「通知レベル」を設定することもできる。「通知レベル」は、ＷＡＮ通知用情報を通知する対象を段階的に変更するための情報であり、例えば、レベル０からレベル３まで設定される。
【００９８】
送信部３８は、通知レベルが「レベル０」の場合、通知フラグが「０」である場合と同様の処理を行い、また、通知レベルが「レベル３」の場合、通知フラグが「１」である場合と同様の処理を行う。一方、通知レベルが「レベル１」や「レベル２」の場合、送信部３８は、無線端末４の位置や滞在時間に応じて無線端末４をＷＡＮ通知用情報の通知対象とするのか否かを決定する。
【００９９】
通知レベルが「レベル１」の場合、例えば、ＡＰ通信エリアの中心に近い所定範囲の位置に所定時間以上滞在している無線端末４をＷＡＮ通知用情報の通知対象とする。なお、送信部３８は、無線端末４が所定範囲の位置にあるか否かを例えば、無線端末４の電波強度により判定する。
【０１００】
通知レベルが「レベル２」の場合、例えば、ＡＰ通信エリアに所定時間以上滞在している無線端末４をＷＡＮ通知用情報の通知対象とする。なお、通知レベルが「レベル３」の場合、ＡＰ通信エリアに定時間以上滞在している無線端末４をＷＡＮ通知用情報の通知対象とするが、「所定時間」は「レベル１」や「レベル２」の場合のよりも短い時間である。
【０１０１】
また、ユーザ属性に応じて無線端末４をＷＡＮ通知用情報の通知対象とするのか否かを決定することもできる。例えば、通知レベルが「レベル１」の場合、ＡＰ通信エリアの中心に近い所定範囲の位置に所定時間以上滞在している無線端末４のユーザが、所定ユーザの属性を有する場合に限り、ＷＡＮ通知用情報の通知対象とする。また、通知レベルが「レベル２」の場合、ＡＰ通信エリアに所定時間以上滞在している無線端末４のユーザが、所定ユーザの属性を有する場合に限り、ＷＡＮ通知用情報の通知対象とする。
【０１０２】
このように、通知レベルとして、無線端末４のＡＰ通信エリア内での滞在時間、無線端末４の位置、および、無線端末４のユーザのユーザ属性などに応じてＷＡＮ通知用情報の通知対象を設定することができる。これにより、無線端末４のユーザへＷＡＮ通知用情報をより適切に通知することができる。なお、上述した通知レベルは、一例であり、無線端末４のＡＰ通信エリア内での滞在時間、無線端末４の位置、および、無線端末４のユーザのユーザ属性などの組み合わせによって種々の通知レベルを設定することができる。
【０１０３】
無線端末４の制御部は、情報提供装置３からＷＡＮ通知用情報を受信すると、ＷＡＮ通知用情報に応じた画面を無線端末４の表示部に表示する。ＷＡＮ通知用情報は、例えば、無線端末４のユーザに無線端末４の無線ＬＡＮ通信機能をＯＮにするように促す情報であり、図８（ａ）に示すように無線端末４の表示部に表示される。図８（ａ）は、ＷＡＮ通知用情報を無線端末４の表示部で表示した画面例を示す図である。
【０１０４】
図８（ａ）に示す画面において、無線端末４のユーザが例えば操作部の操作により画面上の「無線ＬＡＮ接続」を選択した場合、無線端末４の制御部は、無線ＬＡＮアクセスポイント２と通信を確立し、無線ＬＡＮアクセスポイント２と通信状態に移行する。送信部３８は、ＷＡＮ通知用情報を通知した後に無線ＬＡＮアクセスポイント２と通信を確立した無線端末４に対して無線ＬＡＮアクセスポイント２の設置場所に対応する情報をＡＰ場所情報テーブルから取得して送信する。これにより、無線端末４のユーザは、無線ＬＡＮアクセスポイント２の設置場所に対応する情報を容易に取得することができる。
【０１０５】
図８（ｂ）は、情報提供装置３から送信される場所情報を無線端末４の表示部で表示した画面例を示す図である。場所情報は、例えば、無線ＬＡＮアクセスポイント２の設置場所に関連するデジタルコンテンツやショッピングページなどのコンテンツを閲覧するための店舗ポータルサイトの情報である。
【０１０６】
また、送信部３８は、無線ＬＡＮ通信機能をＯＮにした状態で無線ＬＡＮアクセスポイント２に進入し、無線ＬＡＮアクセスポイント２と通信している無線端末４に対してはＬＡＮ通知用情報を送信する。無線ＬＡＮアクセスポイント２に進入し、無線ＬＡＮアクセスポイント２と通信している無線端末４か否かは、判定部３７によりＡＰ場所情報テーブルに基づいて判定される。
【０１０７】
例えば、ＡＰ端末情報テーブルが図４に示す状態であり、端末ＩＤ「Ｔ２」の無線端末４がＡＰ−ＩＤ「Ａ１」に対応するＡＰ通信エリア内に存在するとする。この場合、ＡＰ端末情報テーブルには、端末ＩＤ「Ｔ２」の無線端末４の情報がＡＰ−ＩＤ「Ａ１」に対応して設定されていることから、判定部３７は、端末ＩＤ「Ｔ２」の無線端末４がＡＰ−ＩＤ「Ａ１」の無線ＬＡＮアクセスポイント２と通信していると判定する。
【０１０８】
ＬＡＮ通知用情報は、例えば、店舗ポータルサイトへのアクセスを促すための情報であり、例えば、図８（ｃ）に示すように無線端末４の表示部に表示される。図８（ｃ）は、無線ＬＡＮアクセスポイント２経由のＬＡＮ通知用情報を無線端末４の表示部で表示した画面例を示す図である。
【０１０９】
なお、送信部３８は、ＷＡＮ通知用情報の送信対象となった無線端末４が同一ＡＰ通信エリアに存在する場合、ＬＡＮ通知用情報は送信しない。これにより、同様の情報が無線端末４へ通知されることが抑制できる。
【０１１０】
〔６．情報提供システム１の処理フロー〕
次に、実施形態に係る情報提供システム１による情報提供処理の手順について説明する。図９〜図１２は、情報提供システム１による情報提供処理フローを説明するための図である。以下においては、図９を参照して無線ＬＡＮアクセスポイント２の処理を説明し、図１０〜図１２を参照し、情報提供装置３の処理を説明する。
【０１１１】
〔６．１．無線ＬＡＮアクセスポイント２の処理フロー〕
まず、実施形態に係る無線ＬＡＮアクセスポイント２の情報処理について、図９を参照して説明する。図９は、無線ＬＡＮアクセスポイント２における情報処理のフローチャートである。かかる動作は、無線ＬＡＮアクセスポイント２の制御部２２によって繰り返し実行される処理である。
【０１１２】
図９に示すように、無線ＬＡＮアクセスポイント２の制御部２２は、無線ＬＡＮ通信部２０を介して無線端末４を検出したか否かを判定する（ステップＳ２０）。かかる処理において、無線端末４を検出したと判定すると（ステップＳ２０；Ｙｅｓ）、通信部２１を介して端末情報、ＡＰ−ＩＤおよび通話中状態などの情報を含む検出情報を、情報提供装置３へ送信する（ステップＳ２１）。
【０１１３】
ステップＳ２０の処理において、無線端末４を検出していないと判定した場合（ステップＳ２０；Ｎｏ）、または、ステップＳ２１の処理が終了した場合、制御部２２は、通信ネットワーク５に接続された通信ネットワーク側装置から通信部２１を介して情報を受信したか否かを判定する（ステップＳ２２）。通信ネットワーク側装置から情報を受信したと判定すると（ステップＳ２２；Ｙｅｓ）、制御部２２は、受信した情報をこの情報の宛先となる無線端末４へ転送する（ステップＳ２３）。
【０１１４】
ステップＳ２２において、情報を受信していないと判定した場合（ステップＳ２２；Ｎｏ）、または、ステップＳ２３の処理が終了した場合、制御部２２は、無線端末４から通信ネットワーク側装置に対する要求があるか否かを判定する（ステップＳ２４）。無線端末４から通信ネットワーク側装置に対する要求があると判定すると（ステップＳ２４；Ｙｅｓ）、制御部２２は、無線端末４から通信ネットワーク側装置に対する要求を、通信部２１を介して通信ネットワーク側装置に転送する（ステップＳ２５）。
【０１１５】
ステップＳ２５の処理が終了した場合、または、ステップＳ２４において、無線端末４から通信ネットワーク側装置に対する要求がないと判定された場合（ステップＳ２４；Ｎｏ）、制御部２２は処理を終了する。制御部２２は、例えば、ステップＳ２０、Ｓ２１の処理、ステップＳ２２、Ｓ２３の処理、および、ステップＳ２４、Ｓ２５の処理をそれぞれマルチタスク処理によって実行することができる。
【０１１６】
〔６．２．情報提供装置３の処理フロー〕
次に、情報提供装置３の処理について説明する。図１０は、情報提供装置３における情報処理のフローチャートである。かかる動作は、情報提供装置３の制御部３２によって繰り返し実行される処理である。
【０１１７】
図１０に示すように、制御部３２は、通信部３０を介して無線端末４から端末位置情報を取得したか否かを判定する（ステップＳ３０）。無線端末４から端末位置情報を取得したと判定した場合（ステップＳ３０；Ｙｅｓ）、制御部３２は、第１の通知処理を行う（ステップＳ３１）。かかる第１の通知処理は、図１１に示すステップＳ４０〜Ｓ４３の処理であり、後で詳述する。
【０１１８】
ステップＳ３０において、無線端末４から端末位置情報を取得していないと判定した場合（ステップＳ３０；Ｎｏ）、または、ステップＳ３１の処理が終了した場合、制御部３２は、通信部３０を介して無線ＬＡＮアクセスポイント２からの検出情報を受け付けたか否かを判定する（ステップＳ３２）。検出情報を受け付けたと判定した場合（ステップＳ３２；Ｙｅｓ）、制御部３２は、第２の通知処理を行う（ステップＳ３３）。かかる第２の通知処理は、図１２に示すステップＳ５０〜Ｓ５４の処理であり、後で詳述する。
【０１１９】
ステップＳ３２において、検出情報を受け付けていない場合（ステップＳ３２；Ｎｏ）、または、ステップＳ３３の処理が終了した場合、制御部３２は、通信部３０を介して無線端末４から情報提供要求を受け付けたか否かを判定する（ステップＳ３４）。情報提供要求を受け付けた場合（ステップＳ３４；Ｙｅｓ）、制御部３２は、情報提供要求に応じた場所情報を要求元の無線端末４へ送信する（ステップＳ３５）。
【０１２０】
ステップＳ３４において、情報提供要求を受け付けていない場合（ステップＳ３４；Ｎｏ）、または、ステップＳ３５の処理が終了した場合、制御部３２は、処理を終了する。
【０１２１】
次に、図１０に示すステップＳ３１に示す第１の通知処理について説明する。図１１は、情報提供装置３における第１の通知処理のフローチャートである。
【０１２２】
図１１に示すように、第１の通知処理では、制御部３２は、取得した端末位置情報に基づいて端末位置情報テーブルを更新する（ステップＳ４０）。
【０１２３】
次に、制御部３２は、更新した端末位置情報テーブルに基づき、ＡＰ通信エリア内に位置する無線端末４があるか否かを判定する（ステップＳ４１）。ＡＰ通信エリア内に位置する無線端末４があると判定すると（ステップＳ４１；Ｙｅｓ）、制御部３２は、ＡＰ端末情報テーブルに基づき、ＡＰ通信エリア内に位置する無線端末４のうち無線ＬＡＮアクセスポイント２と通信していない無線端末４があるか否かを判定する（ステップＳ４２）。
【０１２４】
ステップＳ４２において、無線ＬＡＮアクセスポイント２と通信していない無線端末４があると判定すると（ステップＳ４２；Ｙｅｓ）、制御部３２は、無線ＬＡＮアクセスポイント２と通信していないと判定した無線端末４へＷＡＮ通知用情報を携帯電話基地局７経由で送信する（ステップＳ４３）。なお、制御部３２は、同一のＷＡＮ通知用情報を同一の無線端末４へ送信する場合、所定時間以上が経過していることを条件とする。
【０１２５】
ステップＳ４１において、ＡＰ通信エリア内に位置する無線端末４がないと判定した場合（ステップＳ４１；Ｎｏ）、または、ステップＳ４２において、無線ＬＡＮアクセスポイント２と通信していない無線端末４がないと判定した場合（ステップＳ４２；Ｎｏ）、または、ステップＳ４４の処理が終了した場合、制御部３２は処理を終了する。
【０１２６】
次に、図１０に示すステップＳ３３に示す第２の通知処理について説明する。図１２は、情報提供装置３における第２の通知処理のフローチャートである。
【０１２７】
図１２に示すように、第２の通知処理では、制御部３２は、受け付けた検出情報に基づいてＡＰ端末情報テーブルを更新する（ステップＳ５０）。
【０１２８】
次に、制御部３２は、更新したＡＰ端末情報テーブルに基づき、ＡＰ通信エリアで新たに無線ＬＡＮアクセスポイント２と通信状態になった無線端末４があるか否かを判定する（ステップＳ５１）。ＡＰ通信エリアに新たに通信状態になった無線端末４があると判定すると（ステップＳ５１；Ｙｅｓ）、制御部３２は、新たに通信状態になった無線端末４がＷＡＮ通知用情報を送信後に通信状態になった無線端末４であるか否かを判定する（ステップＳ５２）。
【０１２９】
ステップＳ５２において、ＷＡＮ通知用情報を送信後に通信状態になった無線端末４であると判定すると（ステップＳ５２；Ｙｅｓ）、制御部３２は、ＡＰ場所情報テーブルからＡＰ通信エリアに対応する場所情報を取得し、新たに通信状態になった無線端末４へ送信する（ステップＳ５３）。
【０１３０】
一方、ＷＡＮ通知用情報を送信後に通信状態になった無線端末４ではないと判定すると（ステップＳ５２；Ｎｏ）、制御部３２は、ＡＰ場所情報テーブルからＡＰ通信エリアに対応するＬＡＮ通知用情報を取得し、新たに通信状態になった無線端末４へ送信する（ステップＳ５４）。
【０１３１】
ステップＳ５３、Ｓ５４の処理が終了した場合、または、ステップＳ５１において、ＡＰ通信エリアに新たに通信状態になった無線端末４がないと判定された場合（ステップＳ５１；Ｎｏ）、制御部３２は処理を終了する。
【０１３２】
〔７．変形例〕
上述の実施形態では、ユーザ属性、通知フラグまたは通知レベルを、無線端末４からユーザ情報テーブルに設定できるものとして説明したが、その他の情報を無線端末４から設定することもできる。例えば、ＷＡＮ通知用情報の通知を許可する地域や期間の条件を無線端末４からユーザ情報テーブルに設定することもできる。この場合、制御部３２は、ユーザ情報テーブルに設定された地域や期間の条件を満たす無線端末４に対してＷＡＮ通知用情報を送信する。
【０１３３】
また、上述の実施形態では、ＷＡＮ通知用情報に対して「通知フラグ」や「通知レベル」を設定することとしたが、ＬＡＮ通知用情報に対して「通知フラグ」や「通知レベル」を設定することもでき、また、かかる設定を無線端末４から行うこともできる。
【０１３４】
また、上述の実施形態では、一つのユーザＩＤに対して複数の端末ＩＤを設定することもできる。この場合、制御部３２は、複数の端末ＩＤのいずれか一つの端末ＩＤに対応する無線端末４に対してＷＡＮ通知用情報やＬＡＮ通知用情報を送信する。制御部３２は、例えば、ＷＡＮ通知用情報を通知した後無線ＬＡＮアクセスポイント２と通信する可能性が高い無線端末４の端末ＩＤを選択することができる。無線ＬＡＮアクセスポイント２と通信する可能性が高い無線端末４か否かは、例えば、ユーザ情報ＤＢ３３に記憶する履歴情報から判定される。
【０１３５】
また、上述の実施形態では、無線端末４の制御部３２が所定周期で端末位置情報を情報提供装置３へ送信するものとして説明したが、かかる例に限定されない。例えば、無線端末４の記憶部に端末位置情報の送信対象となるエリア（以下、送信対象エリアと記載する）の情報を記憶し、送信対象エリアの範囲に無線端末４が位置した場合に、無線端末４の制御部が端末位置情報を情報提供装置３へ所定周期で送信することもできる。なお、送信対象エリアは、無線端末４の操作部から選択または設定することができる。
【０１３６】
なお、上述の実施形態では、無線端末４の検出情報を送信する機能を各無線ＬＡＮアクセスポイント２において行うようにしたが、無線端末４の検出情報を送信する機能を別途設けた検出用の無線ＬＡＮアクセスポイントによって実行するようにしてもよい。検出用の無線ＬＡＮアクセスポイントを別途設けることで、すでに無線ＬＡＮアクセスポイントを設置している場所に対して、検出用の無線ＬＡＮアクセスポイントを設置することで、上述した情報提供サービスを提供することができる。
【０１３７】
〔８．効果〕
上述してきたように、実施形態に係る情報提供システム１は、場所情報ＤＢ３４（通知用情報記憶手段の一例）が、無線ＬＡＮアクセスポイント２に対応する通知用情報を記憶し、取得部３６（端末位置検出手段の一例）が、無線端末４の位置を示す位置情報を含む端末位置情報を取得し、送信部３８（通知手段の一例）が、無線ＬＡＮアクセスポイント２の通信エリア内に位置し、かつ無線ＬＡＮアクセスポイント２と通信していない無線端末４に対して携帯電話基地局７（無線ＷＡＮ基地局の一例）から通知用情報を通知する。
【０１３８】
かかる構成により、無線端末４において無線ＬＡＮ機能がＯＦＦ状態である場合であっても、通知用情報を無線端末４へ通知でき、無線端末４のユーザに対して無線端末４の無線ＬＡＮ通信機能をＯＮにさせる動機付けを与えることができる。その結果、無線ＬＡＮアクセスポイント２から無線端末４への情報提供を促進することが可能となる。
【０１３９】
また、判定部３７（位置判定手段および通信判定手段の一例）が、取得部３６によって取得された端末位置情報に基づき、無線端末４が無線ＬＡＮアクセスポイント２の通信エリア内に位置するか否かを判定し、さらに、無線ＬＡＮアクセスポイント２の通信エリア内に位置すると判定した無線端末４が無線ＬＡＮアクセスポイント２と通信しているか否かを判定し、送信部３８が、判定部３７によって無線ＬＡＮアクセスポイント２と通信していないと判定された無線端末４に対してＷＡＮ通知用情報（通知用情報の一例）を通知する。
【０１４０】
かかる構成により、無線ＬＡＮアクセスポイント２の通信エリア内に位置し、かつ、無線ＬＡＮアクセスポイント２と通信していない無線端末４を容易に検出することができ、情報提供装置３における処理負荷を軽減することができる。
【０１４１】
また、判定部３７が、無線ＬＡＮアクセスポイント２の通信エリアに対応する位置に所定時間継続して存在する無線端末４がある場合に、無線端末４が無線ＬＡＮアクセスポイント２の通信エリア内に位置すると判定する。
【０１４２】
かかる構成により、例えば、無線ＬＡＮアクセスポイント２の設置場所で留まっている可能性が高いユーザの無線端末４に対して通知用情報を送信することができる。そのため、例えば、通知用情報を通知して無線ＬＡＮアクセスポイント２の通信エリアを通過してしまうようなユーザの無線端末４へ通知用情報が通知されることを抑制することができる。
【０１４３】
また、場所情報ＤＢ３４（設置場所情報記憶手段の一例）が、無線ＬＡＮアクセスポイント２の設置場所に関する情報である場所情報を記憶し、取得部３６が、ＷＡＮ通知用情報を通知した無線端末４が無線ＬＡＮアクセスポイント２と通信状態となった場合に、場所情報ＤＢ３４から場所情報を取得し、送信部３８（場所情報送信手段の一例）が取得部３６によって取得された場所情報を、ＷＡＮ通知用情報を通知後に無線ＬＡＮアクセスポイント２と通信状態となった無線端末４に送信する。
【０１４４】
かかる構成により、ＷＡＮ通知用情報を通知した無線端末４のユーザは、例えば、無線端末４の無線ＬＡＮ通信機能をＯＮにすることにより、無線ＬＡＮアクセスポイント２の設置場所に関する情報を取得することができ、利便性を向上させることができる。
【０１４５】
〔９．その他〕
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１４６】
上述した情報提供装置３は、それぞれ複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。また、無線ＬＡＮアクセスポイント２および情報提供装置３を一つのサーバコンピュータで実現してもよい。
【符号の説明】
【０１４７】
１  情報提供システム
２1〜２n、２  無線ＬＡＮアクセスポイント
３  情報提供装置
４1〜４n、４  無線端末
５  通信ネットワーク
６  携帯電話通信網
７1〜７n、７  携帯電話基地局
８、９  ゲートウェイサーバ
２０  無線ＬＡＮ通信部
２１  ＷＡＮ通信部
２２  制御部
２５  中継部
２６  検出部
３０  通信部
３１  記憶部
３２  制御部
３３  ユーザ情報ＤＢ
３４  場所情報ＤＢ
３５  受付部
３６  取得部
３７  判定部
３８  送信部
【図１Ａ】
2014143562.tif 000003
【図１Ｂ】
2014143562.tif 000004
【図２】
2014143562.tif 000005
【図３Ａ】
2014143562.tif 000006
【図３Ｂ】
2014143562.tif 000007
【図４】
2014143562.tif 000008
【図５】
2014143562.tif 000009
【図６】
2014143562.tif 000010
【図７】
2014143562.tif 000011
【図８】
2014143562.tif 000012
【図９】
2014143562.tif 000013
【図１０】
2014143562.tif 000014
【図１１】
2014143562.tif 000015
【図１２】
2014143562.tif 000016